【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
アクセスユニット（ＡＵ）の第１の復号ユニット（ＤＵ）に関連付けられたサブピクチャタイミングサプルメンタルエンハンスメント(supplemental enhancement)情報（ＳＥＩ）メッセージを復号することと、前記第１のＤＵは、復号順序において前記ＡＵ中の前記第１のＤＵであり、復号順序において、前記サブピクチャタイミングＳＥＩメッセージを含む任意の後続ＳＥＩネットワークアブストラクションレイヤ（ＮＡＬ）ユニットまでだが、それを含まない、前記ＡＵ中のすべての後続ＮＡＬユニットを含む、サブピクチャタイミングＳＥＩメッセージを含まない１つまたは複数のＮＡＬユニットが後に続く、前記サブピクチャタイミングＳＥＩメッセージを含むＳＥＩ ＮＡＬユニットからなる、
復号された前記サブピクチャタイミングＳＥＩメッセージから、前記サブピクチャＳＥＩメッセージ中の、復号順序において前記ＡＵの第２のＤＵのコード化ピクチャバッファ（ＣＰＢ）除去時間と前記第１のＤＵのＣＰＢ除去時間との間の持続時間を決定することと、
決定された前記持続時間に少なくとも部分的に基づいて、前記第１のＤＵの前記ＣＰＢ除去時間を導出することと
を備える方法。
【請求項２】
前記第１のＤＵに関連付けられた前記サブピクチャタイミングＳＥＩメッセージまたはピクチャタイミングＳＥＩメッセージ中のいずれかにおける、１つまたは複数のサブピクチャレベルＣＰＢパラメータの存在を判断するためのシーケンスレベルフラグを復号することをさらに備える、請求項１に記載の方法。
【請求項３】
前記サブピクチャレベルＣＰＢパラメータを復号することをさらに備え、
前記第１のＤＵの前記ＣＰＢ除去時間を決定することは、前記サブピクチャレベルＣＰＢパラメータにさらに少なくとも部分的に基づき、
前記シーケンスレベルフラグは、前記サブピクチャレベルＣＰＢパラメータが前記サブピクチャタイミングＳＥＩメッセージ中に存在することを示し、
前記サブピクチャレベルＣＰＢパラメータを復号することは、前記第１のＤＵに関連付けられた前記サブピクチャタイミングＳＥＩメッセージを復号することを備える、請求項２に記載の方法。
【請求項４】
ビデオデータを符号化するための方法であって、
アクセスユニット（ＡＵ）中の第１の復号ユニット（ＤＵ）のコード化ピクチャバッファ（ＣＰＢ）除去時間を決定することと、
前記ＡＵ中の第１のＤＵの前記ＣＰＢ除去時間と前記ＡＵ中の第２のＤＵのＣＰＢ除去時間との間の持続時間を決定することと、
前記第１のＤＵを符号化することとを備え、前記第１のＤＵを前記符号化することは、前記ＡＵに関連付けられたサブピクチャタイミングサプルメンタルエンハンスメント(supplemental enhancement)情報（ＳＥＩ）メッセージ中で前記持続時間を符号化することを備え、
前記第１のＤＵは、復号順序において前記ＡＵ中の前記第１のＤＵであり、復号順序において、前記サブピクチャタイミングＳＥＩメッセージを含む任意の後続ＳＥＩネットワークアブストラクションレイヤ（ＮＡＬ）ユニットまでだが、それを含まない、前記ＡＵ中のすべての後続ＮＡＬユニットを含む、サブピクチャタイミングＳＥＩメッセージを含まない１つまたは複数のＮＡＬユニットが後に続く、前記持続時間が符号化された前記サブピクチャタイミングＳＥＩメッセージを含むＳＥＩ ＮＡＬユニットからなる、方法。
【請求項５】
１つまたは複数のサブピクチャレベルＣＰＢパラメータを符号化することをさらに備える、請求項４に記載の方法。
【請求項６】
前記第１のＤＵに関連付けられた前記サブピクチャタイミングＳＥＩメッセージまたはピクチャタイミングＳＥＩメッセージのいずれかにおける、前記１つまたは複数のサブピクチャレベルＣＰＢパラメータの存在を示すためのシーケンスレベルフラグを符号化させることをさらに備え、
前記シーケンスレベルフラグは、前記サブピクチャレベルＣＰＢパラメータが前記サブピクチャタイミングＳＥＩメッセージ中に存在することを示し、
前記１つまたは複数のサブピクチャレベルＣＰＢパラメータを符号化することは、前記ＡＵに関連付けられた前記サブピクチャタイミングＳＥＩメッセージを符号化することを備える、請求項５に記載の方法。
【請求項７】
前記第２のＤＵは、復号順序において、前記ＡＵ中の前記第１のＤＵの直後である、請求項１または４に記載の方法。
【請求項８】
前記第１のＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ１２の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ビデオコーディングレイヤ（ＶＣＬ）ＮＡＬユニットを備える、請求項１または４に記載の方法。
【請求項９】
前記第１のＤＵの前記除去時間を決定することは、初期ＣＰＢ除去遅延とオフセットとを復号することなく、前記第１のＤＵの前記除去時間を決定することを備える、請求項１に記載の方法。
【請求項１０】
アクセスユニット（ＡＵ）の第１の復号ユニット（ＤＵ）に関連付けられたサブピクチャタイミングサプルメンタルエンハンスメント(supplemental enhancement)情報（ＳＥＩ）メッセージを復号するための手段と、前記第１のＤＵは、復号順序において前記ＡＵ中の前記第１のＤＵであり、復号順序において、前記サブピクチャタイミングＳＥＩメッセージを含む任意の後続ＳＥＩネットワークアブストラクションレイヤ（ＮＡＬ）ユニットまでだが、それを含まない、前記ＡＵ中のすべての後続ＮＡＬユニットを含む、サブピクチャタイミングＳＥＩメッセージを含まない１つまたは複数のＮＡＬユニットが後に続く、前記サブピクチャタイミングＳＥＩメッセージを含むＳＥＩ ＮＡＬユニットからなる、
復号された前記サブピクチャタイミングＳＥＩメッセージから、前記サブピクチャＳＥＩメッセージ中の、復号順序において前記ＡＵの第２のＤＵのコード化ピクチャバッファ（ＣＰＢ）除去時間と前記第１のＤＵのＣＰＢ除去時間との間の持続時間を決定するための手段と、
決定された前記持続時間に少なくとも部分的に基づいて、前記第１のＤＵの前記ＣＰＢ除去時間を導出するための手段と
を備えるビデオ復号デバイス。
【請求項１１】
請求項２、３および７乃至９のうちのいずれか１項に記載の方法を実行するための手段を備える、請求項１０に記載のデバイス。
【請求項１２】
ビデオ符号化デバイスであって、
アクセスユニット（ＡＵ）中の第１の復号ユニット（ＤＵ）のコード化ピクチャバッファ（ＣＰＢ）除去時間を決定し、
前記ＡＵ中の第１のＤＵの前記ＣＰＢ除去時間と前記ＡＵ中の第２のＤＵのＣＰＢ除去時間との間の持続時間を決定し、
前記第１のＤＵを符号化するように構成されたビデオエンコーダを備え、前記第１のＤＵを前記符号化することは、前記ＡＵに関連付けられたサブピクチャタイミングサプルメンタルエンハンスメント(supplemental enhancement)情報（ＳＥＩ）メッセージ中で前記持続時間を符号化することを備え、
前記第１のＤＵは、復号順序において前記ＡＵ中の前記第１のＤＵであり、復号順序において、前記サブピクチャタイミングＳＥＩメッセージを含む任意の後続ＳＥＩネットワークアブストラクションレイヤ（ＮＡＬ）ユニットまでだが、それを含まない、前記ＡＵ中のすべての後続ＮＡＬユニットを含む、サブピクチャタイミングＳＥＩメッセージを含まない１つまたは複数のＮＡＬユニットが後に続く、前記持続時間が符号化された前記サブピクチャタイミングＳＥＩメッセージを含むＳＥＩ ＮＡＬユニットからなる、ビデオ符号化デバイス。
【請求項１３】
請求項５乃至８のうちのいずれか１項に記載の方法を実行するための手段を備える、請求項１２に記載のデバイス。
【請求項１４】
実行されると、請求項１乃至９のうちのいずれか１項に記載の方法をプロセッサに実行させる命令を記憶したコンピュータ可読記憶媒体。